(57)【要約】【課題】  複数種類の光ディスク媒体に対する再生／記録動作を行える光ディスク媒体記録再生装置であって、光ディスク媒体種別の判別に失敗した場合の、光ディスク媒体種別の再判別（推定）の処理時間の短縮が図られた光ディスク媒体記録再生装置の提供。【解決手段】  ディスク表面から記録層までの距離が第１の距離であるものと第２の距離であるものとなる２種類の光ディスク媒体（ＣＤ系：約１．２ｍｍとＤＶＤ系：約０．６ｍｍ）間における、第１の距離と第２の距離の間となる“Ｂ点”と“Ｃ点”を定めることにより、前記２種類の光ディスク媒体間の判別に誤判別が生じやすいものとする所定範囲を定め、当該範囲に該当する場合には、“記録層の距離情報”よりも、“記録層の反射率情報”を優先して、光ディスク媒体種別の推定を行うことで、処理時間の短縮を図る。【選択図】  図４
2007012105.tif 000002
【特許請求の範囲】
【請求項１】
ディスク表面から記録層までの距離が異なり且つレーザ光に対する反射率が異なる複数種類の光ディスク媒体に対する、再生若しくは記録動作を行うことが可能な光ディスク媒体記録再生装置であって、前記光ディスク媒体へレーザ光を照射する光源部と、当該光源部から発せられたレーザ光に対する前記光ディスク媒体の反射率の情報を取得する反射率測定部と、ディスク表面と記録層との間の距離の情報を取得する記録層深度測定部と、前記複数種類の光ディスク媒体のうち、ディスク表面から記録層までの距離が第１の距離であるものと第２の距離であるものとなる２種類の光ディスク媒体間における、前記第１の距離と前記第２の距離の間となる所定範囲が格納された記憶部と、を備えることにより、前記光ディスク媒体の種類の判別を、前記記録層深度測定部によって取得されるディスク表面から記録層までの距離の情報と、前記反射率測定部によって取得される前記光ディスク媒体の反射率の情報と、を基にして行った後に、前記光ディスク媒体の種類の判別に誤りがあったと判断された場合であって、前記記録層深度測定部によって取得されたディスク表面から記録層までの距離情報が、前記所定範囲に該当していた場合には、前記反射率測定部によって取得された反射率の情報を優先して前記光ディスク媒体の種類の推定を行い、前記光ディスク媒体の種類の判別に誤りがあったと判断された場合であって、前記記録層深度測定部によって取得されたディスク表面から記録層までの距離情報が、前記所定範囲に該当していなかった場合には、当該ディスク表面から記録層までの距離の情報を優先して前記光ディスク媒体の種類の推定を行うことを特徴とする光ディスク媒体記録再生装置。
【請求項２】
ディスク表面から記録層までの距離が異なり且つレーザ光に対する反射率が異なる複数種類の光ディスク媒体に対する、再生若しくは記録動作を行うことが可能な光ディスク媒体記録再生装置であって、前記光ディスク媒体へレーザ光を照射する光源部と、当該光源部から発せられたレーザ光に対する前記光ディスク媒体の反射率の情報を取得する反射率測定部と、ディスク表面と記録層との間の距離の情報を取得する記録層深度測定部と、前記複数種類の光ディスク媒体のうち、レーザ光に対する反射率が、第１の反射率であるものと第２の反射率であるものとなる２種類の光ディスク媒体間における、前記第１の反射率と前記第２の反射率の間となる所定範囲が格納された記憶部と、を備えることにより、前記光ディスク媒体の種類の判別を、前記記録層深度測定部によって取得されるディスク表面から記録層までの距離の情報と、前記反射率測定部によって取得される前記光ディスク媒体の反射率の情報と、を基にして行った後に、前記光ディスク媒体の種類の判別に誤りがあったと判断された場合であって、前記反射率測定部によって取得される前記光ディスク媒体の反射率情報が、前記所定範囲に該当していた場合には、前記記録層深度測定部によって取得されたディスク表面から記録層までの距離情報を優先して前記光ディスク媒体の種類の推定を行い、前記反射率測定部によって取得される前記光ディスク媒体の反射率情報が、前記所定範囲に該当していなかった場合には、当該反射率情報を優先して前記光ディスク媒体の種類の推定を行うことを特徴とする光ディスク媒体記録再生装置。
【請求項３】
前記反射率の情報を優先して前記光ディスク媒体の種類の推定を行う際には、前記記録層深度測定部によって取得されたディスク表面から記録層までの距離情報を副次的判断要素として前記光ディスク媒体の種類の推定を行い、前記ディスク表面から記録層までの距離の情報を優先して前記光ディスク媒体の種類の推定を行う際には、前記反射率測定部によって取得された反射率の情報を副次的判断要素として前記光ディスク媒体の種類の推定を行うことを特徴とする請求項１又は請求項２に記載の光ディスク媒体記録再生装置。
【請求項４】
前記光ディスク媒体の種類の判別若しくは推定によって判別若しくは推定された光ディスク媒体種別に応じた各種パラメータの補正処理であるキャリブレーションを行った際に、当該キャリブレーション処理に失敗した場合、前記光ディスク媒体の種類の判別若しくは推定に誤りがあったと判断し、当該誤りがあったと判断された場合には、前記光ディスク媒体の種類の推定若しくは再推定を行い、これによって推定された光ディスク媒体種別に応じて再度キャリブレーション処理の試行を行うことを特徴とする請求項１乃至請求項３の何れか１つに記載の光ディスク媒体記録再生装置。
【請求項５】
前記光ディスク媒体の種類の判別によって最初に判断された光ディスク媒体の種別ごとに、当該最初の判別が誤りであった場合の、前記キャリブレーション処理の再試行を行う光ディスク媒体種別の順番情報が格納されたテーブルであって、当該光ディスク媒体種別への順番情報の付与において、前記最初に判断された光ディスク媒体の種別に対応する前記ディスク表面から記録層までの距離情報を一次的要因とし、前記反射率情報を二次的要因として使用した距離情報優先テーブルと、前記最初に判断された光ディスク媒体の種別に対応する前記反射率情報を一次的要因とし、前記ディスク表面から記録層までの距離情報を二次的要因として使用して、前記光ディスク媒体種別への順番情報の付与を行った反射率情報優先テーブルと、を前記記憶部に備えることにより、前記キャリブレーション処理の再試行を行う場合であって、前記ディスク表面から記録層までの距離の情報を優先して前記光ディスク媒体の種類の推定を行う場合には、前記距離情報優先テーブルを参照することによって推定を行い、前記反射率の情報を優先して前記光ディスク媒体の種類の推定を行う場合には、前記反射率情報優先テーブルを参照することによって推定を行うことを特徴とする請求項４記載の光ディスク媒体記録再生装置。
【請求項６】
ディスク表面から記録層までの距離が異なり且つレーザ光に対する反射率が異なる複数種類の光ディスク媒体に対する、再生若しくは記録動作を行うことが可能な光ディスク媒体記録再生装置における、前記光ディスク媒体の種類の判別方法であって、前記複数種類の光ディスク媒体のうち、ディスク表面から記録層までの距離が第１の距離であるものと第２の距離であるものとなる２種類の光ディスク媒体間における、前記第１の距離と前記第２の距離の間となる所定範囲を予め定めておくことにより、前記光ディスク媒体の種類の判別を、前記ディスク表面から記録層までの距離の情報と、前記光ディスク媒体の反射率の情報と、を基にして行った後に、前記光ディスク媒体の種類の判別に誤りがあったと判断された場合であって、前記ディスク表面から記録層までの距離情報が、前記所定範囲に該当していた場合には、前記反射率の情報を優先して前記光ディスク媒体の種類の推定を行い、前記光ディスク媒体の種類の判別に誤りがあったと判断された場合であって、前記ディスク表面から記録層までの距離情報が、前記所定範囲に該当していなかった場合には、当該ディスク表面から記録層までの距離情報を優先して前記光ディスク媒体の種類の推定を行うことを特徴とする光ディスク媒体の種類判別方法。
【請求項７】
ディスク表面から記録層までの距離が異なり且つレーザ光に対する反射率が異なる複数種類の光ディスク媒体に対する、再生若しくは記録動作を行うことが可能な光ディスク媒体記録再生装置における、前記光ディスク媒体の種類の判別方法であって、前記複数種類の光ディスク媒体のうち、レーザ光に対する反射率が、第１の反射率であるものと第２の反射率であるものとなる２種類の光ディスク媒体間における、前記第１の反射率と前記第２の反射率の間となる所定範囲を予め定めておくことにより、前記光ディスク媒体の種類の判別を、前記ディスク表面から記録層までの距離情報と、前記光ディスク媒体の反射率情報と、を基にして行った後に、前記光ディスク媒体の種類の判別に誤りがあったと判断された場合であって、前記光ディスク媒体の反射率情報が、前記所定範囲に該当していた場合には、前記ディスク表面から記録層までの距離情報を優先して前記光ディスク媒体の種類の推定を行い、前記光ディスク媒体の反射率情報が、前記所定範囲に該当していなかった場合には、当該反射率情報を優先して前記光ディスク媒体の種類の推定を行うことを特徴とする光ディスク媒体の種類判別方法。
【発明の詳細な説明】
【技術分野】
【０００１】
本発明は、ディスク表面から記録層までの距離が異なり且つレーザ光に対する反射率が異なる複数種類の光ディスク媒体に対する再生若しくは記録動作を行うことが可能な光ディスク媒体記録再生装置に関し、特に、これらの光ディスク媒体の種類判別方法に関する。
【背景技術】
【０００２】
光ディスク媒体（ＣＤやＤＶＤなど）は、その取り扱いの容易さやランダムアクセス可能な媒体であることなどの理由により、広く利用されており、その種類（規格）も多数存在している（例えば、ＣＤ系ではＣＤ−ＲやＣＤ−ＲＷ等が存在し、ＤＶＤ系においてもＤＶＤ−ＲやＤＶＤ−ＲＷがあり、また、記録層が２層となっている２層記録ＤＶＤも存在し、さらにその他の媒体も多数存在する）。
【０００３】
光ディスク媒体の再生／記録を行う装置においては、これら複数の媒体に対する再生／記録を行うことが可能なマルチ型の記録再生装置が存在しているが、光ディスク媒体の種類（規格）が異なると、その物理的構造やフォーマットなども異なるため、マルチ型の記録再生装置において光ディスク媒体の再生や記録動作を行う前提として、先ず、光ディスク媒体の種類を判別する必要がある。このような、光ディスク媒体の種類の判別に関する従来技術が特許文献１〜特許文献７などによって開示されている。
【０００４】
【特許文献１】特開平１０−１３４４９６号公報
【特許文献２】特開平１０−１３４４９７号公報
【特許文献３】特開平１１−７７１０号公報
【特許文献４】特開２００３−２２５３６号公報
【特許文献５】特開２００４−２０６７６５号公報
【特許文献６】特開２００５−５６５４３号公報
【特許文献７】特開２００５−８５３５１号公報
【発明の開示】
【発明が解決しようとする課題】
【０００５】
従来行われていた光ディスク媒体の種類の判別方法の一つとして、ディスク表面から記録層までの距離が異なる種類のものがある（例えば、ＣＤ系ディスクでは約１．２ｍｍでありＤＶＤ系ディスクでは約０．６ｍｍ）ことと、レーザ光に対する反射率が異なる種類のものがある（例えば、ＣＤ−ＲＯＭやＤＶＤ−ＲＯＭ等のピット型メディアに対するＣＤ−ＲＷやＤＶＤ−ＲＷ等の相変化型メディア）ことを利用して、ディスク表面から記録層までの距離を測定すると共に反射率を測定し、これらの情報を基に光ディスク媒体の種類の判別を行うものがある。
【０００６】
上記方法によれば、判別対象の各光ディスク媒体が、その種別に応じた規格に準じたものであれば、良好に判別処理を行うことができるが、現実には、規格外の（規格からの誤差が大きい）媒体も市場に流通している。また、製造時は規格品であったディスク媒体であっても、使用による汚損などにより規格外となってしまう場合もある。このような規格外となった光ディスク媒体は、正しくその種別を判別できない場合があり、誤った種別を基にキャリブレーション処理（媒体種別に応じた各種パラメータの設定処理であり、例えばレーザの出力や、反射光から得られる信号の増幅度の調整などである）を行うとこれに失敗する場合（キャリブレーション処理の失敗とは、キャリブレーション処理を行った際の特定の動作をさせた時に期待する信号が得られなかったような場合をいう）があった。これに対し、従来は、図１８（光ディスク媒体の種類の判別が誤りであった場合の再試行順を示したテーブル）にその一例を示したように、光ディスク媒体の種類の判別が誤りであった（キャリブレーション処理に失敗した）場合の再試行順を、各媒体種別ごとに定義しておくことにより、当該再試行順に従ってディスク種別を替えてキャリブレーション処理を繰り返すものとしていた。
【０００７】
しかし、従来方法では、画一的な順番で、ディスク種別を替えたキャリブレーション処理を行うため、順番が後半に割当てられた光ディスク媒体であった場合には、処理に時間がかかってしまうものであった。
【０００８】
本発明は、上述した点に鑑み、複数種類の光ディスク媒体に対する再生／記録動作を行える光ディスク媒体記録再生装置であって、光ディスク媒体種別の判別に失敗した場合の、光ディスク媒体種別の再判別（推定）の処理時間の短縮が図られた光ディスク媒体記録再生装置を提供することを目的とする。
【課題を解決するための手段】
【０００９】
請求項１の光ディスク媒体記録再生装置は、ディスク表面から記録層までの距離が異なり且つレーザ光に対する反射率が異なる複数種類の光ディスク媒体に対する、再生若しくは記録動作を行うことが可能な光ディスク媒体記録再生装置であって、前記光ディスク媒体へレーザ光を照射する光源部と、当該光源部から発せられたレーザ光に対する前記光ディスク媒体の反射率の情報を取得する反射率測定部と、ディスク表面と記録層との間の距離の情報を取得する記録層深度測定部と、前記複数種類の光ディスク媒体のうち、ディスク表面から記録層までの距離が第１の距離であるものと第２の距離であるものとなる２種類の光ディスク媒体間における、前記第１の距離と前記第２の距離の間となる所定範囲が格納された記憶部と、を備えることにより、前記光ディスク媒体の種類の判別を、前記記録層深度測定部によって取得されるディスク表面から記録層までの距離の情報と、前記反射率測定部によって取得される前記光ディスク媒体の反射率の情報と、を基にして行った後に、前記光ディスク媒体の種類の判別に誤りがあったと判断された場合であって、前記記録層深度測定部によって取得されたディスク表面から記録層までの距離情報が、前記所定範囲に該当していた場合には、前記反射率測定部によって取得された反射率の情報を優先して前記光ディスク媒体の種類の推定を行い、前記光ディスク媒体の種類の判別に誤りがあったと判断された場合であって、前記記録層深度測定部によって取得されたディスク表面から記録層までの距離情報が、前記所定範囲に該当していなかった場合には、当該ディスク表面から記録層までの距離の情報を優先して前記光ディスク媒体の種類の推定を行うことを特徴とする。
【００１０】
上記構成によれば、ディスク表面から記録層までの距離が、「ディスク表面から記録層までの距離が第１の距離であるものと第２の距離であるものとなる２種類の光ディスク媒体間における、前記第１の距離と前記第２の距離の間となる所定範囲」に該当した場合、即ち、“第１の距離”であるか“第２の距離”であるかの判別の信頼度が低い場合（誤判別が生じやすい場合）において、「光ディスク媒体の種類の判別に誤りがあったと判断」された場合には、“ディスク表面から記録層までの距離情報”よりも“ディスクの反射率の情報”を優先して光ディスク媒体の種類の推定が行われる。一方、「第１の距離と第２の距離の間となる所定範囲」に該当しなかった場合、即ち、“第１の距離”であるか“第２の距離”であるかの判別の信頼度が高い場合（誤判別が生じ難い場合）において、「光ディスク媒体の種類の判別に誤りがあったと判断」された場合には、“ディスク表面から記録層までの距離情報”を優先して光ディスク媒体の種類の推定が行われる。なお、「複数種類の光ディスク媒体のうち、ディスク表面から記録層までの距離が第１の距離であるものと第２の距離であるものとなる２種類の光ディスク媒体間」とは、ディスク表面から記録層までの距離が異なるものが２つしかないということを示すものではなく、複数の“ディスク表面から記録層までの距離が異なるもの”を、その距離の順に並べた場合に、任意の隣り合う２つの光ディスク媒体の関係を示しているものである。
【００１１】
請求項２の光ディスク媒体記録再生装置は、ディスク表面から記録層までの距離が異なり且つレーザ光に対する反射率が異なる複数種類の光ディスク媒体に対する、再生若しくは記録動作を行うことが可能な光ディスク媒体記録再生装置であって、前記光ディスク媒体へレーザ光を照射する光源部と、当該光源部から発せられたレーザ光に対する前記光ディスク媒体の反射率の情報を取得する反射率測定部と、ディスク表面と記録層との間の距離の情報を取得する記録層深度測定部と、前記複数種類の光ディスク媒体のうち、レーザ光に対する反射率が、第１の反射率であるものと第２の反射率であるものとなる２種類の光ディスク媒体間における、前記第１の反射率と前記第２の反射率の間となる所定範囲が格納された記憶部と、を備えることにより、前記光ディスク媒体の種類の判別を、前記記録層深度測定部によって取得されるディスク表面から記録層までの距離の情報と、前記反射率測定部によって取得される前記光ディスク媒体の反射率の情報と、を基にして行った後に、前記光ディスク媒体の種類の判別に誤りがあったと判断された場合であって、前記反射率測定部によって取得される前記光ディスク媒体の反射率情報が、前記所定範囲に該当していた場合には、前記記録層深度測定部によって取得されたディスク表面から記録層までの距離情報を優先して前記光ディスク媒体の種類の推定を行い、前記反射率測定部によって取得される前記光ディスク媒体の反射率情報が、前記所定範囲に該当していなかった場合には、当該反射率情報を優先して前記光ディスク媒体の種類の推定を行うことを特徴とする。
【００１２】
上記構成によれば、ディスクの反射率が、「レーザ光に対する反射率が、第１の反射率であるものと第２の反射率であるものとなる２種類の光ディスク媒体間における、前記第１の反射率と前記第２の反射率の間となる所定範囲」に該当した場合、即ち、“第１の反射率”であるか“第２の反射率”であるかの判別の信頼度が低い場合（誤判別が生じやすい場合）において、「光ディスク媒体の種類の判別に誤りがあったと判断」された場合には、“ディスクの反射率の情報”よりも“ディスク表面から記録層までの距離情報”を優先して光ディスク媒体の種類の推定が行われる。一方、「第１の反射率と第２の反射率の間となる所定範囲」に該当しなかった場合、即ち、“第１の反射率”であるか“第２の反射率”であるかの判別の信頼度が高い場合（誤判別が生じ難い場合）において、「光ディスク媒体の種類の判別に誤りがあったと判断」された場合には、“ディスクの反射率の情報”を優先して光ディスク媒体の種類の推定が行われる。なお、「複数種類の光ディスク媒体のうち、レーザ光に対する反射率が、第１の反射率であるものと第２の反射率であるものとなる２種類の光ディスク媒体間」とは、反射率が異なるものが２つしかないということを示すものではなく、複数の“反射率が異なる光ディスク媒体”を、その反射率の順に並べた場合に、任意の隣り合う２つの光ディスク媒体の関係を示しているものである。
【００１３】
請求項３の光ディスク媒体記録再生装置は、請求項１又は請求項２に記載の光ディスク媒体記録再生装置であって、前記反射率の情報を優先して前記光ディスク媒体の種類の推定を行う際には、前記記録層深度測定部によって取得されたディスク表面から記録層までの距離情報を副次的判断要素として前記光ディスク媒体の種類の推定を行い、前記ディスク表面から記録層までの距離の情報を優先して前記光ディスク媒体の種類の推定を行う際には、前記反射率測定部によって取得された反射率の情報を副次的判断要素として前記光ディスク媒体の種類の推定を行うことを特徴とする。
【００１４】
上記構成によれば、何れかの情報を優先するかが定められた上で、“ディスク表面から記録層までの距離情報”と“ディスクの反射率の情報”の双方の情報を使用して、光ディスク媒体の種類の推定が行われる。
【００１５】
請求項４の光ディスク媒体記録再生装置は、請求項１乃至請求項３の何れか１つに記載の光ディスク媒体記録再生装置であって、前記光ディスク媒体の種類の判別若しくは推定によって判別若しくは推定された光ディスク媒体種別に応じた各種パラメータの補正処理であるキャリブレーションを行った際に、当該キャリブレーション処理に失敗した場合、前記光ディスク媒体の種類の判別若しくは推定に誤りがあったと判断し、当該誤りがあったと判断された場合には、前記光ディスク媒体の種類の推定若しくは再推定を行い、これによって推定された光ディスク媒体種別に応じて再度キャリブレーション処理の試行を行うことを特徴とする。
【００１６】
上記構成によれば、キャリブレーション処理の失敗をもって「光ディスク媒体の種類の判別に誤りがあった」と判断され、光ディスク媒体の種類の推定若しくは再推定によって得られた光ディスク媒体種別に応じたキャリブレーション処理の再試行が行われる。
【００１７】
請求項５の光ディスク媒体記録再生装置は、請求項４記載の光ディスク媒体記録再生装置であって、前記光ディスク媒体の種類の判別によって最初に判断された光ディスク媒体の種別ごとに、当該最初の判別が誤りであった場合の、前記キャリブレーション処理の再試行を行う光ディスク媒体種別の順番情報が格納されたテーブルであって、当該光ディスク媒体種別への順番情報の付与において、前記最初に判断された光ディスク媒体の種別に対応する前記ディスク表面から記録層までの距離情報を一次的要因とし、前記反射率情報を二次的要因として使用した距離情報優先テーブルと、前記最初に判断された光ディスク媒体の種別に対応する前記反射率情報を一次的要因とし、前記ディスク表面から記録層までの距離情報を二次的要因として使用して、前記光ディスク媒体種別への順番情報の付与を行った反射率情報優先テーブルと、を前記記憶部に備えることにより、前記キャリブレーション処理の再試行を行う場合であって、前記ディスク表面から記録層までの距離の情報を優先して前記光ディスク媒体の種類の推定を行う場合には、前記距離情報優先テーブルを参照することによって推定を行い、前記反射率の情報を優先して前記光ディスク媒体の種類の推定を行う場合には、前記反射率情報優先テーブルを参照することによって推定を行うことを特徴とする。
【００１８】
上記構成によれば、「ディスク表面から記録層までの距離の情報を優先した光ディスク媒体の種類の推定」が、距離情報優先テーブルに格納された順番に従ってディスク種別を替えることによって行われ、「反射率情報を優先した光ディスク媒体の種類の推定」が、反射率情報優先テーブルに格納された順番に従ってディスク種別を替えることによって行われる。
【００１９】
請求項６の光ディスク媒体の種類判別方法は、ディスク表面から記録層までの距離が異なり且つレーザ光に対する反射率が異なる複数種類の光ディスク媒体に対する、再生若しくは記録動作を行うことが可能な光ディスク媒体記録再生装置における、前記光ディスク媒体の種類の判別方法であって、前記複数種類の光ディスク媒体のうち、ディスク表面から記録層までの距離が第１の距離であるものと第２の距離であるものとなる２種類の光ディスク媒体間における、前記第１の距離と前記第２の距離の間となる所定範囲を予め定めておくことにより、前記光ディスク媒体の種類の判別を、前記ディスク表面から記録層までの距離の情報と、前記光ディスク媒体の反射率の情報と、を基にして行った後に、前記光ディスク媒体の種類の判別に誤りがあったと判断された場合であって、前記ディスク表面から記録層までの距離情報が、前記所定範囲に該当していた場合には、前記反射率の情報を優先して前記光ディスク媒体の種類の推定を行い、前記光ディスク媒体の種類の判別に誤りがあったと判断された場合であって、前記ディスク表面から記録層までの距離情報が、前記所定範囲に該当していなかった場合には、当該ディスク表面から記録層までの距離情報を優先して前記光ディスク媒体の種類の推定を行うことを特徴とする。
【００２０】
請求項７の光ディスク媒体の種類判別方法は、ディスク表面から記録層までの距離が異なり且つレーザ光に対する反射率が異なる複数種類の光ディスク媒体に対する、再生若しくは記録動作を行うことが可能な光ディスク媒体記録再生装置における、前記光ディスク媒体の種類の判別方法であって、前記複数種類の光ディスク媒体のうち、レーザ光に対する反射率が、第１の反射率であるものと第２の反射率であるものとなる２種類の光ディスク媒体間における、前記第１の反射率と前記第２の反射率の間となる所定範囲を予め定めておくことにより、前記光ディスク媒体の種類の判別を、前記ディスク表面から記録層までの距離情報と、前記光ディスク媒体の反射率情報と、を基にして行った後に、前記光ディスク媒体の種類の判別に誤りがあったと判断された場合であって、前記光ディスク媒体の反射率情報が、前記所定範囲に該当していた場合には、前記ディスク表面から記録層までの距離情報を優先して前記光ディスク媒体の種類の推定を行い、前記光ディスク媒体の反射率情報が、前記所定範囲に該当していなかった場合には、当該反射率情報を優先して前記光ディスク媒体の種類の推定を行うことを特徴とする。
【００２１】
又、本発明の光ディスク媒体の種類判別方法は、請求項６又は請求項７に記載の光ディスク媒体の種類判別方法であって、前記反射率情報を優先して前記光ディスク媒体の種類の推定を行う際には、前記ディスク表面から記録層までの距離情報を副次的判断要素として用いて前記光ディスク媒体の種類の推定を行い、前記ディスク表面から記録層までの距離情報を優先して前記光ディスク媒体の種類の推定を行う際には、前記反射率情報を副次的判断要素として用いて前記光ディスク媒体の種類の推定を行うことを特徴とする。
【００２２】
又、本発明の光ディスク媒体の種類判別方法は、請求項６乃至請求項８の何れか１つに記載の光ディスク媒体の種類判別方法であって、前記光ディスク媒体の種類の判別若しくは推定によって判別若しくは推定された光ディスク媒体種別に応じた各種パラメータの補正処理であるキャリブレーションを行った際に、当該キャリブレーション処理に失敗した場合、前記光ディスク媒体の種類の判別若しくは推定に誤りがあったと判断し、当該誤りがあったと判断された場合には、前記光ディスク媒体の種類の推定若しくは再推定を行い、これによって推定された光ディスク媒体種別に応じて再度キャリブレーション処理の再試行を行うことを特徴とする。
【発明の効果】
【００２３】
本発明の請求項１の、ディスク表面から記録層までの距離が異なり且つレーザ光に対する反射率が異なる複数種類の光ディスク媒体に対する、再生若しくは記録動作を行うことが可能な光ディスク媒体記録再生装置であって、前記光ディスク媒体へレーザ光を照射する光源部と、当該光源部から発せられたレーザ光に対する前記光ディスク媒体の反射率の情報を取得する反射率測定部と、ディスク表面と記録層との間の距離の情報を取得する記録層深度測定部と、前記複数種類の光ディスク媒体のうち、ディスク表面から記録層までの距離が第１の距離であるものと第２の距離であるものとなる２種類の光ディスク媒体間における、前記第１の距離と前記第２の距離の間となる所定範囲が格納された記憶部と、を備えることにより、前記光ディスク媒体の種類の判別を、前記記録層深度測定部によって取得されるディスク表面から記録層までの距離の情報と、前記反射率測定部によって取得される前記光ディスク媒体の反射率の情報と、を基にして行った後に、前記光ディスク媒体の種類の判別に誤りがあったと判断された場合であって、前記記録層深度測定部によって取得されたディスク表面から記録層までの距離情報が、前記所定範囲に該当していた場合には、前記反射率測定部によって取得された反射率の情報を優先して前記光ディスク媒体の種類の推定を行い、前記光ディスク媒体の種類の判別に誤りがあったと判断された場合であって、前記記録層深度測定部によって取得されたディスク表面から記録層までの距離情報が、前記所定範囲に該当していなかった場合には、当該ディスク表面から記録層までの距離の情報を優先して前記光ディスク媒体の種類の推定を行うことを特徴とする光ディスク媒体記録再生装置によれば、ディスク表面から記録層までの距離が“第１の距離”であるか“第２の距離”であるかの判別の信頼度が低い場合（誤判別が生じやすい場合）には、“ディスク表面から記録層までの距離情報”よりも“ディスクの反射率の情報”を優先して光ディスク媒体の種類の推定を行い、一方、“第１の距離”であるか“第２の距離”であるかの判別の信頼度が高い場合（誤判別が生じ難い場合）には、“ディスク表面から記録層までの距離情報”を優先して光ディスク媒体の種類の推定を行うため、ディスク種別の推定の処理が効率化される。即ち、最初の光ディスク媒体の種類の判別において正しい光ディスク媒体種別を得ることが出来なかった場合に、“誤判別を生じやすい情報”の優先度を下げ、“誤判別を生じ難い情報”の優先度を上げて、ディスク媒体の種類の推定を行うため、当該推定によって正しい光ディスク媒体種別を得ることが出来る確率が高まり、推定が外れることによる再度の推定処理の必要性を低減させることができるため、処理効率に優れるのである。
【００２４】
本発明の請求項３の、前記反射率の情報を優先して前記光ディスク媒体の種類の推定を行う際には、前記記録層深度測定部によって取得されたディスク表面から記録層までの距離情報を副次的判断要素として前記光ディスク媒体の種類の推定を行い、前記ディスク表面から記録層までの距離の情報を優先して前記光ディスク媒体の種類の推定を行う際には、前記反射率測定部によって取得された反射率の情報を副次的判断要素として前記光ディスク媒体の種類の推定を行うことを特徴とする請求項１又は請求項２に記載の光ディスク媒体記録再生装置によれば、何れかの情報を優先するかが定められた上で、“ディスク表面から記録層までの距離情報”と“ディスクの反射率の情報”の双方の情報を使用して、光ディスク媒体の種類の推定が行われるため、当該推定によって正しい光ディスク媒体種別を得ることが出来る確率がより高まり、ディスク種別の推定処理がより効率化される。
【発明を実施するための最良の形態】
【００２５】
以下、本発明の具体的実施例について、図面を参照しながら説明する。なお、以下の実施態様は、本発明を具体化する際の一形態であって、本発明をその範囲内に限定するためのものではない。
【実施例１】
【００２６】
図１は本実施例の光ディスク媒体記録再生装置の主に本発明に関する部分を示したブロック図であり、図２は同装置に備えられるピックアップ部の一部の概略を示すブロック図である。
【００２７】
図１に示されるように、本実施例の光ディスク媒体記録再生装置１は、装置全体の制御などの処理を行う制御部１１、対物レンズ１２１・光源部である発光部１２２・受光部１２３・アクチュエータ部１２４等を備えるピックアップユニット１２、前記発光部１２２に対する制御を行う発光制御部１３、前記アクチュエータ部１２４の制御を行うドライバ部１４、前記受光部１２３から得られる信号の増幅やフォーカスエラー信号若しくはＰＩ信号の生成などを行うＲＦアンプ部１５、計時手段であるタイマ部１６、記憶部１７、スピンドルモータ１８、当該スピンドルモータ１８の制御を行うスピンドルモータドライバ１９などを備える。
【００２８】
光ディスク媒体記録再生装置１は、ＣＤ系の光ディスク媒体と、ＤＶＤ系の光ディスク媒体の双方に対する再生／記録動作が可能な装置であり、ピックアップユニット１２は、図２に示されるように、ＣＤ系の光ディスク媒体用のレーザ光を発光するレーザダイオード１２２ａ及びこれに対する反射光を受光するフォトディテクタ１２３ａと、ＤＶＤ系の光ディスク媒体用のレーザ光を発光するレーザダイオード１２２ｂ及びこれに対する反射光を受光するフォトディテクタ１２３ｂと、を備える。なお、本実施例では、ＣＤ系の光ディスク媒体としてＣＤ−ＤＡ（音楽ＣＤ）とＣＤ−ＲＷを、ＤＶＤ系の光ディスク媒体としてＤＶＤ−ＲＯＭとＤＶＤ−ＲＷを、例として用いて説明する。
【００２９】
ＲＦアンプ部１５は、フォトディテクタ１２３ａ・１２３ｂからの信号を増幅（当該増幅率は光ディスク媒体２の種別に応じて変更される）し、フォーカスエラー信号やＰＩ信号の生成などを行う。フォーカスエラー信号は、４分割受光面を有するフォトディテクタ１２３ｂの対角方向の受光面の差動出力であり、光ディスク媒体２の記録層２１（若しくはディスク表面２２）にレーザ光の焦点が合っている場合に零となり、その前後で正負のピーク値が出現する波形となる（図５（ｂ）に波形の例を示した）。ＰＩ信号は、４分割受光面のそれぞれの受光面から得られる信号を合成したものであり、光ディスク媒体２の記録層２１（若しくはディスク表面２２）にレーザ光の焦点が合う部分でピーク値が出現する波形となる（図５（ｃ）に波形の例を示した）。また、ＰＩ信号の振幅は、光ディスク媒体２の反射率に比例したものとなる。
【００３０】
光ディスク媒体記録再生装置１は、距離情報優先テーブル３１（図３（ａ））と、反射率情報優先テーブル３２（図３（ｂ））と、を記憶部１７に備える。両テーブルは、図３に示されるように、最初に判断された光ディスク媒体の種別ごとに、当該最初の判別が誤りであった場合（最初の判別による光ディスク媒体種別に応じたパラメータを使用したキャリブレーション処理に失敗した場合）の、キャリブレーション処理の再試行を行う光ディスク媒体種別の順番情報が格納されたテーブルである。即ち、最初の判別が誤りであった場合に、光ディスク媒体の種別の推定を行わせるためのテーブルである。
【００３１】
距離情報優先テーブル３１は、最初に判断された光ディスク媒体の種別に対応するディスク表面から記録層までの距離情報を一次的要因とし、反射率情報を二次的要因として用いてリトライ順の順番情報を付与したものであり、具体例を示すと、最初の判別において、ディスク表面から記録層までの距離の長いＣＤ系の媒体であると判別された場合には、当該情報を優先し、ＣＤ系の媒体のリトライ順を高く設定し、次に残りのＤＶＤ系の媒体のリトライ順を定めるにあたり、最初の判別において反射率の低い媒体（相変化型メディア：ＣＤ−ＲＷ）であると判別されていた場合には、当該情報を二次的要因として用い、ＤＶＤ系の媒体のうちの反射率の低い媒体（ＤＶＤ−ＲＷ）のリトライ順を高く設定するものである。一方、反射率情報優先テーブル３２は、最初に判断された光ディスク媒体の種別に対応する反射率情報を一次的要因とし、ディスク表面から記録層までの距離情報を二次的要因として用いてリトライ順の順番情報を付与したものであり、具体例を示すと、最初の判別において、反射率の高い媒体（ピット型メディア）であると判別された場合には、当該情報を優先し、反射率の高い媒体のリトライ順を高く設定し、次に残りの反射率の低い媒体（相変化型メディア）のリトライ順を定めるにあたり、最初の判別においてディスク表面から記録層までの距離の短いＤＶＤ系の媒体であると判別された場合には、当該情報を二次的要因として用い、反射率の低い媒体のうちのＤＶＤ系の媒体（ＤＶＤ−ＲＷ）のリトライ順を高く設定するものである。
【００３２】
図４は、光ディスク媒体種類の判別方法と、当該判別に誤りがあった場合の媒体種別の推定において使用するテーブルの関係を示した概念図である。本実施例の光ディスク媒体記録再生装置１は、ＣＤ系の光ディスク媒体とＤＶＤ系の光ディスク媒体の別を、ディスク表面から記録層までの距離の違い（ＤＶＤ系：約０．６ｍｍ（第１の距離）、ＣＤ系：約１．２ｍｍ（第２の距離））によって判別し、さらに反射率の違いによりピット型メディア（ＣＤ−ＤＡ・ＤＶＤ−ＲＯＭ）か相変化型メディア（ＣＤ−ＲＷ・ＤＶＤ−ＲＷ）かの判別を行う（これにより、上記４種のいずれであるかが判別される）。図４は、横軸を「ディスク表面から記録層までの距離」とし、縦軸を「反射率」としている。同図に示されるように、“Ａ点（例えば０．９ｍｍ）”を閾値としてＣＤ系かＤＶＤ系かの判別が行われ、“Ｄ点”を閾値として、ピット型か相変化型かの判別が行われる。“Ｂ点”と“Ｃ点”は、“Ａ点”から所定距離オフセットされた値であり、且つ、第１の距離（０．６ｍｍ）と第２の距離（１．２ｍｍ）の間となるように設定される。“Ｂ点”と“Ｃ点”は、２種類の媒体（ＣＤ系媒体とＤＶＤ系媒体）の間の判別において、“誤判別が生じやすい範囲”を定めるものであり、装置の精度などを考慮して適宜定められる。光ディスク媒体２の記録層までの距離が、当該“Ｂ点”と“Ｃ点”の間の範囲に該当する場合（誤判別が生じやすい場合）には、光ディスク媒体種別の推定処理に反射率情報優先テーブル３２が使用され、該当しない場合（誤判別が生じ難い場合）には、距離情報優先テーブル３１が使用されることとなる。なお、光ディスク媒体記録再生装置１の記憶部１７には、“Ａ点”、“Ｂ点”、“Ｃ点”、“Ｄ点”を示す情報がそれぞれ変数“ａ”、“ｂ”、“ｃ”、“ｄ”に格納されて記憶されている。「“Ａ点”、“Ｂ点”、“Ｃ点”、“Ｄ点”を示す情報」とは、それぞれ距離や反射率の数値を直接格納しているのではなく、具体的には、距離に関する情報は時間（対物レンズがフォーカス方向に移動する時間）情報として、反射率に関する情報はＰＩ信号の振幅情報として格納されている。
【００３３】
以上の構成を備える光ディスク媒体記録再生装置１の、光ディスク媒体２の種別の判別及び推定処理の概要について、図６及び図７を参照しつつ説明する。
【００３４】
光ディスク媒体記録再生装置１に光ディスク媒体２が挿入されると、当該光ディスク媒体２に対するアクセスを行うために、光ディスク媒体２の種別に応じたパラメータを使用したキャリブレーション処理（前述したＲＦアンプ部１５における増幅率の変更や、レーザダイオード１２２ａ・１２２ｂの出力調整など）を行う必要がある。従って、光ディスク媒体２が挿入された際には、先ず、光ディスク媒体２の種別を判別する必要があり、ステップ７０１（図７）において、当該判別処理を行う。
【００３５】
図６は、「ディスク媒体の種別判別処理」の概略を示す（即ち、図７のステップ７０１の処理を示す）フローチャート図である。ステップ６０１において対物レンズ１２１を下げ（図５（ａ）のａ１の位置とし）た後に、タイマ部１６にタイマ１をスタートさせると共に、対物レンズ１２１を上昇させる（ステップ６０２）。なお、対物レンズの移動は、アクチュエータ部１２４をドライバ部１４・制御部１１によって制御することで行われる。
【００３６】
ステップ６０３では、光ディスク媒体２の表面（ディスク表面２２）が検出されたか否かを判別する。当該判別は、前述したごとく、ディスク表面２２にレーザの焦点が合う部分（図５（ａ）のａ２の状態）において、フォーカスエラー信号及びＰＩ信号にピーク値が発生するため、当該ピーク値の発生を制御部１１によって判別することによって行う。ステップ６０３における判別でディスク表面２２が検出されない場合には、ステップ６０４においてタイマ１が所定時間（予め記憶部１７に格納してある）を経過したか否かを、制御部１１によって判別し、経過した場合（即ち、所定距離対物レンズを上昇させてもディスク表面を検出できなかった場合）には「Ｎｏ  Ｄｉｓｃ」とする（ディスクを検出できないことを示す）。ステップ６０４における判別が否定であった場合にはステップ６０３へと戻って処理を繰返す。
【００３７】
ステップ６０３における判断が肯定であった（ディスク表面２２が検出された）場合には、タイマ２をスタートさせて（ステップ６０５）、ステップ６０６において光ディスク媒体２の記録層２１が検出されたか否かの判別を行う（当該判別処理はステップ６０３と同様の概念）。ステップ６０６における判別で記録層２１が検出されない場合には、ステップ６０７においてタイマ２が所定時間（予め記憶部１７に格納してある）を経過したか否かを判別し、経過した場合（即ち、所定距離対物レンズを上昇させても記録層を検出できなかった場合）には、使用できないディスクであることを意味するため「Ｎｏ  Ｄｉｓｃ」とする。ステップ６０７における判別が否定であった場合にはステップ６０６へと戻って処理を繰返す。
【００３８】
ステップ６０６における判断が肯定であった場合（記録層２１が検出された図５（ａ）のａ４の状態）には、タイマ２の値を変数ｇに代入し、ＰＩ信号の振幅のピーク値の値を変数ｈに代入する（ステップ６０８）。続くステップ６０９では、ｇがａより大きいか否か（即ち、図４における“Ａ点”より右側（ＣＤ系）に属するか左側（ＤＶＤ系）に属するか）を判別する。ｇがａより小さい場合（ＤＶＤ系）にはステップ６１０へと移行し、ｈがｄより大きいか否か（即ち、図４における“Ｄ点”より上側（ピット型）に属するか下側（相変化型）に属するか）を判別し、ｈがｄより大きい場合には光ディスク媒体２を「ＤＶＤ−ＲＯＭ」と判別し、小さい場合には「ＤＶＤ−ＲＷ」と判別する。一方、ステップ６０９においてｇがａより大きいと判別された場合（ＣＤ系）には、ステップ６１１へと移行し、ｈがｄより大きいか否か（即ち、図４における“Ｄ点”より上側（ピット型）に属するか下側（相変化型）に属するか）を判別し、ｈがｄより大きい場合には光ディスク媒体２を「ＣＤ−ＤＡ」と判別し、小さい場合には「ＣＤ−ＲＷ」と判別する。以上の動作からわかるように、本実施例では、ピックアップ部１２とＲＦアンプ部１５と制御部１１によって「反射率測定部」が構成され、ピックアップ部１２とＲＦアンプ部１５と制御部１１とタイマ部１６によって「記録層深度測定部」が構成されることとなる。なお、本実施例では、「ＣＤ−ＤＡ」と「ＣＤ−ＲＷ」との判別の閾値と、「ＤＶＤ−ＲＯＭ」と「ＤＶＤ−ＲＷ」との判別の閾値と、を同一のもの（閾値ｄ）としているが、それぞれ別の値によって判別するものであってもよく、装置の設計思想に応じて適宜定められるものである。
【００３９】
図７におけるステップ７０１において、以上（図６）の処理が行われ、続くステップ７０２では、図６の処理結果が「Ｎｏ  Ｄｉｓｃ」であったか否かの判別を行い、「Ｎｏ  Ｄｉｓｃ」であった場合には、ステップ７０３へと移行して、「ディスクが無い又は使用できないディスクです」旨を出力（特に図示はしないが、装置に備えられる表示部などに出力するなど）して処理を終了する。図６の処理で光ディスク媒体２の種別が得られた場合には、ステップ７０４において当該ディスク媒体種別を示す情報をＸに代入すると共に、変数ｎに０を代入する。続くステップ７０５では、判別された媒体種別に応じたパラメータを使用してキャリブレーション処理を行う。当該キャリブレーション処理が成功した場合にはステップ７０７へと移行し（ステップ７０６）、光ディスク媒体２に対する読込み処理を行って処理を終了する（ディスク媒体種別判別処理を終了するものであり、この後は光ディスク媒体２の再生や記録処理などを行う）。
【００４０】
ステップ７０６の判断が否定であった場合（キャリブレーション処理に失敗した場合）、には、ステップ７０８でｎが３以上であるか否かを判別し、３に満たない場合にはステップ７１０でｎをインクリメントし、ステップ７１１でｇがｂ以上ｃ以下であるか（即ち、図４における“Ｂ点”と“Ｃ点”の間に該当しているか否か）の判別を行う。ｇ（光ディスク媒体２のディスク表面２２から記録層２１までの距離を示す情報）がこれに該当している場合には、反射率情報優先テーブル３２（図３（ｂ））に従って、該当していない場合には距離情報優先テーブル３１（図３（ａ））に従って、光ディスク媒体２の種別の推定が行われ、当該推定された媒体種別に応じたパラメータを使用してキャリブレーション処理が行われる（ステップ７１２・ステップ７１３）。ステップ７１２若しくはステップ７１３の後はステップ７０６へと戻って処理を繰返す。なお、ステップ７０８における判断が肯定であった場合（ｎが３以上であった場合）は、光ディスク媒体２の種別の推定処理が既に３回行われたことを示し、これは即ち、何れの媒体種別のパラメータを使用してもキャリブレーション処理に失敗したことを示すものであるため、「使用できない（本装置が対応していない）ディスク媒体です」旨を出力して（ステップ７０９）処理を終了する。
【００４１】
以上のごとく、本実施例の光ディスク媒体記録再生装置１によれば、“ＣＤ系”か“ＤＶＤ系”かの判別の信頼度が低いと判断される場合（測定された距離情報が、両者の距離情報の中間付近の値となる場合：図４中のＢ点とＣ点の間に該当する場合）には、“ディスク表面から記録層までの距離情報”よりも“ディスクの反射率の情報”を優先して光ディスク媒体の種類の推定を行い、一方、“ＣＤ系”か“ＤＶＤ系”かの判別の信頼度が高い場合には、“ディスク表面から記録層までの距離情報”を優先して光ディスク媒体の種類の推定を行うため、ディスク種別の推定の処理が効率化される。即ち、最初の光ディスク媒体の種類の判別において正しい光ディスク媒体種別を得ることが出来なかった場合に、“誤判別を生じやすい情報”の優先度を下げ、“誤判別を生じ難い情報”の優先度を上げて、ディスク媒体の種類の推定を行うため、当該推定によって正しい光ディスク媒体種別を得ることが出来る確率が高まり、推定が外れることによる再度の推定処理の必要性を低減させることができるため、処理効率に優れるのである。
【００４２】
なお、本実施例では、理解の容易のためなどの理由により、“ディスク表面から記録層までの距離”が異なるものを２種類（ＣＤ系とＤＶＤ系）に大別し、“ディスクの反射率”が異なるものも２種類（ピット型と相変化型）に大別しているが、本発明をこれに限るものではなく、“ディスク表面から記録層までの距離”が異なるもの、及び、“ディスクの反射率”が異なるものの双方とも２種以上の多数種類であってもよい（多数種類の中の２種類の間の関係を考えれば、上述と同様の概念とすることができ、本発明を有効に適用することができる）。
【実施例２】
【００４３】
図８は、本実施例の光ディスク媒体記録再生装置が備えるテーブルを示した図であり、図９は、同光ディスク媒体記録再生装置における、光ディスク媒体種類の判別方法と、当該判別に誤りがあった場合の媒体種別の推定において使用するテーブルの関係を示した概念図である。なお、本実施例の光ディスク媒体記録再生装置の構成は実施例１と同様であるため、ここでの説明を省略し、必要があるときは図１などを参照して説明する。
【００４４】
本実施例の光ディスク媒体記録再生装置は、ＣＤ系の媒体では、ＣＤ−ＤＡ、ＣＤ−ＲＷに対する再生若しくは記録動作が可能で、ＤＶＤ系の媒体では、ＤＶＤ−ＲＯＭ（以下ＤＶＤ１層とする）、ＤＶＤ−Ｒ、ＤＶＤ−ＲＷ、記録層が２層であるＤＶＤ−ＲＯＭ（以下ＤＶＤ２層とする）に対する再生若しくは記録動作を行えるものとする。
【００４５】
図８は、光ディスク媒体種類の判別に失敗した場合の、媒体種別の推定順序が格納された各テーブルを示したものであり、図９に示される条件に従って、各テーブルが使用される。同図に示されるように、本実施例では、実施例１と同様に、最初にＣＤ系の光ディスク媒体とＤＶＤ系の光ディスク媒体との判別を行うための閾値となる“Ａ点”と、当該最初の判別に失敗した場合の、再判別（推定）において閾値として使用する“Ｂ点”と“Ｃ点”を有する。さらに、本実施例では、再判別（推定）において閾値として使用する“Ｉ点”と“Ｊ点”を有する。“Ｉ点”と“Ｊ点”は、「反射率」についての閾値であり、最初にピット型メディアか相変化型メディアかの判別を行うために閾値として使用される“Ｄ点”を挟んで設定される。
【００４６】
最初の光ディスク媒体の判別に失敗した場合の、光ディスク媒体種別の推定において、最初の判別において得られた「ディスク表面から記録層までの距離」が、“Ｂ点”と“Ｃ点”の間に該当する場合には、最初の判別において得られた「反射率」が、“Ｉ点”と“Ｊ点”の間に該当している場合に“テーブル３（図８（ｃ））”を、“Ｉ点”と“Ｊ点”の間に該当しない場合には“テーブル２（図８（ｂ））”を使用する。最初の判別において得られた「ディスク表面から記録層までの距離」が、“Ｂ点”と“Ｃ点”の間に該当しない場合には、「反射率」が、“Ｉ点”と“Ｊ点”の間に該当している場合に“テーブル４（図８（ｄ））”を、“Ｉ点”と“Ｊ点”の間に該当しない場合には“テーブル１（図８（ａ））”を使用して、光ディスク媒体種別の推定を行う。なお、光ディスク媒体記録再生装置の記憶部１７には、実施例１と同様に、“Ａ点”、“Ｂ点”、“Ｃ点”、“Ｄ点”を示す情報がそれぞれ変数“ａ”、“ｂ”、“ｃ”、“ｄ”に格納されており、さらに、“Ｉ点”と“Ｊ点”を示す情報がそれぞれ変数“ｉ”と“ｊ”に格納されて記憶されている。
【００４７】
図９からも明らかなように、テーブル１は、「ディスク表面から記録層までの距離」情報を基にしたディスク媒体種別の判別、及び、「反射率」情報を基にしたディスク媒体種別の判別の、信頼性が、双方共に高い場合に使用されるテーブルであり、その「リトライ順」の順番付けに、距離情報を一次的要因、反射率情報を二次的要因として用いて（例えば、ＤＶＤ系であると判別された場合には、ＤＶＤ系の媒体のリトライ順を高くし、当該ＤＶＤ系の媒体の中においては、最初の判別において反射率が高いと判断されていた場合には、反射率の高いものからリトライ順を高くして）構成されている。一方テーブル４は、「ディスク表面から記録層までの距離」情報を基にしたディスク媒体種別の判別の信頼性は高いが、「反射率」情報を基にしたディスク媒体種別の判別の信頼性がやや低い場合に使用されるテーブルであり、距離情報を一次的要因、反射率情報を二次的要因として用いて構成されていることには変わりないが、反射率情報による順番付けを反対としている（例えば、最初の判別において、反射率が高いと判断されていた場合には、反射率の低いものからリトライ順を高くしている）。なお、テーブル４における、リトライ順を定める“二次的要因”に、各ディスク媒体の“使用された頻度”を使用してもよいし、“直近に使用された順”を用いるなどしてもよい。
【００４８】
テーブル２は、「ディスク表面から記録層までの距離」情報を基にしたディスク媒体種別の判別の信頼性はやや低いが、「反射率」情報を基にしたディスク媒体種別の判別の信頼性が高い場合に使用されるテーブルである。従って、テーブル２では、最初に判別された「反射率」に近いものから順にリトライ順が定められている（反射率情報によってリトライ順が定められたテーブルとなっている）。テーブル３は、「ディスク表面から記録層までの距離」情報を基にしたディスク媒体種別の判別、及び、「反射率」情報を基にしたディスク媒体種別の判別の、信頼性が共に低い場合に使用されるテーブルであり、本実施例では、ＣＤ系とＤＶＤ系を交互に入れ替えてリトライする構成としている。なお、当該テーブル３におけるリトライ順は、従来と同様（例えば図１８）のものであっても良いし、各ディスク媒体の“使用された頻度”によって順番付けしてもよく、“直近に使用された順”によって順番付けする等してもよい。（前述のごとく、「距離情報」、「反射率情報」の何れも信頼性が低い場合に使用されるテーブルであるので、「距離情報」若しくは「反射率情報」を基にリトライ順を定めることの意味合いが希薄であるため。）
【００４９】
以上の構成を備える光ディスク媒体記録再生装置の、光ディスク媒体２の種別の判別及び推定処理の概要について、図１０及び図１１・図１２を参照しつつ説明する。なお、実施例１（図６・図７）と同様の処理概念となるものについては同一の符号を使用し、ここでの説明を省略若しくは簡略化する。
【００５０】
ディスク媒体種別判別処理（図１０）は、基本的に実施例１（図６）と同様の処理概念であるが、ステップ６０８の後（ステップ６０６において記録層を検出した後）に、再度記録層の検出があったか否かの判別を行う（ステップ１００１）。これによって再度記録層の検出があった場合には、記録層が２層あることを示すので、「ＤＶＤ２層」と判別する。ステップ１００２では、所定時間（予め記憶部１７に設定されている）の経過を判別し、経過した場合には、２層目の記録層はないものと判断して、ステップ６０９へと移行して、以下実施例１と同様の処理を行う。なお、本処理から明らかなように、最初のディスク媒体種別判別処理において、本実施例の光ディスク媒体記録再生装置で扱える光ディスク媒体の全ての種類について判別できるわけではなく（従って、図８に示したテーブルにおいても、「最初に判断したメディアタイプ」には、一部の種類が含まれていない）、判別できないものについては、その後のディスク媒体種別推定処理において対応するものである。
【００５１】
図１１・図１２の処理も、基本的に実施例１（図７）と同様の処理概念であるが、ステップ７１１以降のステップ１１０１〜ステップ１１０６（図１２）において、図９に示した条件に従うように、各テーブル（図８）の選択を行い、当該選択されたテーブルに従って光ディスク媒体の種別の推定を行って、当該推定された媒体種別に応じたパラメータを使用してキャリブレーション処理を行う。なお、ステップ７０８（図１１）では、再推定の回数を５に変更している（媒体種別が６種類であり、“推定”は最大で５回行われるため）。
【００５２】
以上のごとく、本実施例の光ディスク媒体記録再生装置によれば、最初の判別に失敗した場合の、再判別（推定）において使用する閾値に、「反射率」についての閾値を追加することで、媒体種別の推定処理においてより細かな動作設定を行うことが可能となる。
【実施例３】
【００５３】
図１３は、本実施例の光ディスク媒体記録再生装置が備えるテーブルを示した図であり、図１４は、同光ディスク媒体記録再生装置における、光ディスク媒体種類の判別方法と、当該判別に誤りがあった場合の媒体種別の推定において使用するテーブルの関係を示した概念図である。なお、本実施例の光ディスク媒体記録再生装置の構成は実施例１と同様であるため、ここでの説明を省略し、必要があるときは図１などを参照して説明する。
【００５４】
本実施例の光ディスク媒体記録再生装置は、実施例１と同様にＣＤ系の媒体及びＤＶＤ系の媒体に対する再生若しくは記録動作を行え、さらに、「ディスク表面から記録層までの距離」が、ＤＶＤ系（約０．６ｍｍ）より小さく（例えば約０．４ｍｍとする）、ＣＤ系及びＤＶＤ系と同様に記録層に「ピット型」及び「相変化型」の種別がある“Ｚ系”の媒体（本発明の概念の説明のために使用するものであり、実在しているというものではない）に対する再生若しくは記録動作を行えるものとする。
【００５５】
図１３は、光ディスク媒体種類の判別に失敗した場合の、媒体種別の推定順序が格納された各テーブルを示したものであり、図１４に示される条件に従って、各テーブルが使用される。ＣＤ系とＤＶＤ系の間における関係は、基本的に実施例１と同様なものであり、反射率情報優先テーブル１（図１３（ｂ））は、実施例１の反射率情報優先テーブル３２（図３（ｂ））に対して“リトライ順”の４及び５にＺ系媒体を追加した（Ｚ系媒体間の順序づけは、反射率情報によって行われている）ものとなっている。距離情報優先テーブル１（図１３（ａ））も、実施例１の距離情報優先テーブル３１（図３（ａ））にＺ系媒体を追加したものであるが、「最初に判断したメディアタイプ」がＤＶＤ系であった場合には、ＣＤ系よりＺ系を優先している（ＤＶＤ系とＣＤ系よりも、ＤＶＤ系とＺ系の方が、「ディスク表面から記録層までの距離」の差が小さく、ＤＶＤ系とＣＤ系の間よりも、ＤＶＤ系とＺ系の間の誤判別の方が生じやすいため）。
【００５６】
ＤＶＤ系とＺ系の間においては、「ディスク表面から記録層までの距離」が約０．６ｍｍと約０．４ｍｍと、その差が小さいため、「ディスク表面から記録層までの距離」による判別の信頼性がやや低いとして、反射率の情報の信頼性が高いと判断される場合には、「反射率」による情報を優先して、“リトライ順”を定めている。具体的には、反射率情報優先テーブル２（図１３（ｄ））を、反射率情報を一次的要因、距離情報を二次的要因として用いて構成し、距離情報優先テーブル２（図１３（ｃ））を、距離情報を一次的要因、反射率情報を二次的要因として用いて構成する（なお、図１４からも明らかなように、両テーブルが使用される条件下（「ディスク表面から記録層までの距離」が０．６ｍｍ以下と判別された場合）では、ＣＤ系の媒体を誤認した可能性は低いため、両テーブルとも、ＣＤ系の“リトライ順”を最後にしている）と共に、「ピット型」と「相変化型」を判別するための反射率に関する閾値である“Ｄ点”から所定距離オフセットした“Ｒ点”と“Ｑ点”を定めることで、「反射率の情報の信頼性が低いと判断される範囲（逆に見れば信頼性が高い範囲）」を定め、最初の光ディスク媒体種類の判別において得られた反射率情報が、当該“信頼性が高い範囲”に該当する場合には、反射率情報優先テーブル２（図１３（ｄ））を用いてリトライ順を定めることによって行う（反射率情報が、“信頼性が低い範囲”に該当した場合には、距離情報優先テーブル２（図１３（ｃ））を使用して、距離情報を優先したリトライを行う）。なお、“Ｒ点”と“Ｑ点”は、「ピット型」の反射率（第１の反射率）と「相変化型」の反射率（第２の反射率）の間となるように設定される。
【００５７】
図１３に示されるそれぞれのテーブルの“最初に判断したメディアタイプ”では、それぞれのテーブルが使用される条件下では該当し得ないものが除かれている（例えば、反射率情報優先テーブル１（図１３（ｂ））が使用される条件（最初の判別で距離情報がＢ点とＣ点の間に該当した場合）下では、Ｚ系媒体と判別されたはずがないので、Ｚ系媒体は除かれている）。なお、光ディスク媒体記録再生装置の記憶部１７には、実施例１と同様に、“Ａ点”、“Ｂ点”、“Ｃ点”、“Ｄ点”を示す情報がそれぞれ変数“ａ”、“ｂ”、“ｃ”、“ｄ”に格納されており、さらに、“Ｒ点”、“Ｑ点”、“Ｚ点”を示す情報がそれぞれ変数“ｒ”、“ｑ”、“ｚ”に格納され、“０．６ｍｍ”の距離情報を示す情報が変数“ｖ”に格納されて記憶されている。
【００５８】
以上の構成を備える光ディスク媒体記録再生装置の、光ディスク媒体２の種別の判別及び推定処理の概要について、図１５及び図１６・図１７を参照しつつ説明する。なお、実施例１（図６・図７）と同様の処理概念となるものについては同一の符号を使用し、ここでの説明を省略若しくは簡略化する。
【００５９】
ディスク媒体種別判別処理（図１５）は、基本的に実施例１（図６）と同様の処理概念であるが、ステップ６０９の後のステップ１４０１において、ｇがｚより大きいか否か（即ち、図１４における“Ｚ点”より右側（ＤＶＤ系）に属するか左側（Ｚ系）に属するか）を判別し、ｇがｚより小さかった場合（即ち、Ｚ系であると判別された場合）には、ステップ１４０２へと移行して、「Ｚ−ＲＷ」か「Ｚ−ＲＯＭ」かの判別を行う。
【００６０】
図１６・図１７の処理も、基本的に実施例１（図７）と同様の処理概念であるが、ステップ７１０以降のステップ１５０１〜ステップ１５０７（図１７）において、図１４に示した条件に従うように、各テーブル（図１３）の選択を行い、当該選択されたテーブルに従って光ディスク媒体の種別の推定を行って、当該推定された媒体種別に応じたパラメータを使用してキャリブレーション処理を行う。なお、ステップ７０８（図１６）では、再推定の回数を５に変更している（媒体種別が６種類であり、“推定”は最大で５回行われるため）。
【００６１】
以上のごとく、本実施例の光ディスク媒体記録再生装置によれば、媒体種別間の関係の特性に従って、媒体種別推定処理の条件を変化させる（例えば、本実施例のごとく、Ｚ系とＤＶＤ系との間の関係の特性（記録層の距離が近いという関係）に従って、記録層の距離情報の優先度を下げる等）ことが可能となるため、より、効率よくディスク種別の推定の処理を行うことができる。
【図面の簡単な説明】
【００６２】
【図１】光ディスク媒体記録再生装置の主に本発明に関する部分を示したブロック図
【図２】ピックアップ部の概略を示すブロック図
【図３】光ディスク媒体記録再生装置が備えるテーブルの一例を示した図
【図４】光ディスク媒体種類の判別方法と、判別に誤りがあった場合の媒体種別の推定において使用するテーブルの関係を示した概念図
【図５】フォーカスエラー信号と、ＰＩ信号の波形の一例を示した図
【図６】光ディスク媒体記録再生装置１のディスク媒体種別判別処理の概要を示すフローチャート図
【図７】光ディスク媒体記録再生装置１のディスク媒体種別推定処理の概要を示すフローチャート図
【図８】実施例２の光ディスク媒体記録再生装置が備えるテーブルの一例を示した図
【図９】実施例２の光ディスク媒体種類の判別方法と、判別に誤りがあった場合の媒体種別の推定において使用するテーブルの関係を示した概念図
【図１０】実施例２のディスク媒体種別判別処理の概要を示すフローチャート図
【図１１】実施例２のディスク媒体種別推定処理の概要を示すフローチャート図
【図１２】図１１に続くフローチャート図
【図１３】実施例３光ディスク媒体記録再生装置が備えるテーブルの一例を示した図
【図１４】実施例３の光ディスク媒体種類の判別方法と、判別に誤りがあった場合の媒体種別の推定において使用するテーブルの関係を示した概念図
【図１５】実施例３のディスク媒体種別判別処理の概要を示すフローチャート図
【図１６】実施例３のディスク媒体種別推定処理の概要を示すフローチャート図
【図１７】図１６に続くフローチャート図
【図１８】従来の、光ディスク媒体の種類の判別が誤りであった場合の再試行順を示したテーブルの一例を示す図
【符号の説明】
【００６３】
１      光ディスク媒体記録再生装置
２      光ディスク媒体
１１    制御部
１２    ピックアップユニット
１５    ＲＦアンプ部
１６    タイマ部
１７    記憶部
３１    距離情報優先テーブル
３２    反射率情報優先テーブル
１２２  発光部（光源部）
【図１】
2007012105.tif 000003
【図２】
2007012105.tif 000004
【図３】
2007012105.tif 000005
【図４】
2007012105.tif 000006
【図５】
2007012105.tif 000007
【図６】
2007012105.tif 000008
【図７】
2007012105.tif 000009
【図８】
2007012105.tif 000010
【図９】
2007012105.tif 000011
【図１０】
2007012105.tif 000012
【図１１】
2007012105.tif 000013
【図１２】
2007012105.tif 000014
【図１３】
2007012105.tif 000015
【図１４】
2007012105.tif 000016
【図１５】
2007012105.tif 000017
【図１６】
2007012105.tif 000018
【図１７】
2007012105.tif 000019
【図１８】
2007012105.tif 000020